(57)【要約】      （修正有）【課題】十分な通気性能および強度を有するとともに、製作コストを削減できるチェッカー煉瓦受け金物および熱風炉を提供する。【解決手段】チェッカー煉瓦受け金物は、金物本体３３と、金物本体３３を支持する支柱とを備える。金物本体３３には、複数の金物通気孔３３３が貫通形成されている。複数の金物通気孔３３３の一方の開口３３４は、チェッカー煉瓦３１に形成された複数の煉瓦通気孔３１１のうちの少なくとも二つに対向可能な大きさとされる。複数の金物通気孔３３３の他方の開口３３５は、開口３３４の開口面積よりも小さい開口面積を有する。【選択図】図２
0003195118.tif 000002
【実用新案登録請求の範囲】
【請求項１】
燃焼室および蓄熱室を備えた熱風炉の前記蓄熱室に設けられたチェッカー煉瓦を支持するためのチェッカー煉瓦受け金物であって、
水平に延びる金物本体と、前記金物本体を支持する支持体とを備え、
前記金物本体には、複数の金物通気孔が貫通形成され、
前記複数の金物通気孔の一方の開口は、前記チェッカー煉瓦に形成された複数の煉瓦通気孔のうちの少なくとも二つに対向可能な大きさとされ、
前記複数の金物通気孔の他方の開口は、前記一方の開口の開口面積よりも小さい開口面積を有する
ことを特徴とするチェッカー煉瓦受け金物。
【請求項２】
請求項１に記載のチェッカー煉瓦受け金物において、
前記複数の金物通気孔の隣り合う一方の開口は、一定の間隔を隔てて配置される
ことを特徴とするチェッカー煉瓦受け金物。
【請求項３】
請求項１または請求項２に記載のチェッカー煉瓦受け金物において、
前記一方の開口は、三角形状、四角形状または六角形状に形成される
ことを特徴とするチェッカー煉瓦受け金物。
【請求項４】
請求項３に記載のチェッカー煉瓦受け金物において、
前記複数の金物通気孔の一方の開口は三角形状に形成され、互いに隣り合う一方の開口は交互逆向きに配列される
ことを特徴とするチェッカー煉瓦受け金物。
【請求項５】
請求項１から請求項４のいずれか一項に記載のチェッカー煉瓦受け金物において、
前記複数の金物通気孔の一方の開口は、凹状部および凸状部をそれぞれ有し、前記一方の開口の凸状部は、当該一方の開口に隣り合う他の一方の開口の凹状部に対し、向かい合って配置される
ことを特徴とするチェッカー煉瓦受け金物。
【請求項６】
請求項１から請求項５のいずれか一項に記載のチェッカー煉瓦受け金物において、
前記複数の金物通気孔は、その一方の開口側から他方の開口側に向かって縮小する形状を有して構成される
ことを特徴とするチェッカー煉瓦受け金物。
【請求項７】
燃焼室と、前記燃焼室からの熱風を蓄熱する蓄熱室とを備え、
前記蓄熱室には、複数の煉瓦通気孔が形成されたチェッカー煉瓦と、前記チェッカー煉瓦を支持する請求項１から請求項６のいずれか一項に記載のチェッカー煉瓦受け金物とが設けられる
ことを特徴とする熱風炉。
【考案の詳細な説明】
【技術分野】
【０００１】
本考案は、高炉に熱風を供給する熱風炉の蓄熱室内のチェッカー煉瓦を支持するチェッカー煉瓦受け金物および熱風炉に関する。
【背景技術】
【０００２】
従来、製銑用の高炉に熱風を供給するための設備として、熱風炉が用いられている。
熱風炉は、高炉１基につき複数（３〜５基）が設置され、このうち何れかで蓄熱を行うとともに、他で高炉への熱風供給を行うことで、高炉に絶え間なく熱風を供給できるようになっている。
それぞれの熱風炉は、加熱用のバーナーが設置された燃焼室と、蓄熱媒体としてのチェッカー煉瓦が充填された蓄熱室とを有する。そして、蓄熱動作として、燃焼室で燃料を燃焼させて熱風を生成し、この熱風を蓄熱室に通し、蓄熱室の内部に積まれたチェッカー煉瓦に蓄熱しておく。さらに、送風動作として、外気を蓄熱室に通して加熱し、１２００℃〜１４００℃程度に加熱された熱風を高炉へと供給するものである。
また、高炉ガスを専焼する為に、別途２基程度の小型熱風炉を用いて、熱風炉用の燃焼空気を５００℃〜６００℃程度に予熱する方法も存在するが、これも基本的な構成及び燃焼・蓄熱システムは上記の熱風炉と同様である。
【０００３】
このような熱風炉として、例えば、特許文献１に記載の熱風炉が提案されている。
特許文献１に記載の熱風炉は、燃焼室と蓄熱室とが別の炉体に設けられた外燃式のものである。蓄熱室には、蓄熱媒体としてのチェッカー煉瓦が設けられている。このチェッカー煉瓦は、蓄熱室炉体の炉底部分から炉頂近くまで隙間なく積まれている。チェッカー煉瓦は、各々に多数の煉瓦通気孔が貫通形成され、かつ各々の煉瓦通気孔が互いに連通するように積まれている。従って、積み上げられた多数のチェッカー煉瓦においては、蓄熱室炉体の炉底部分から炉頂部分まで通気可能である。
【０００４】
蓄熱室炉体の炉底部分には、外部に開放された吸気口および排気口が形成されている。蓄熱室炉体の炉底部分の内部には、チェッカー煉瓦を支持するチェッカー煉瓦受け金物が設けられている。
チェッカー煉瓦受け金物は、水平に延びる金物本体と、金物本体を支持する支柱（架構体）とで構成される構造物である。金物本体には、平板状の鋳鉄や鋳鋼が材料として使用され、複数の金物通気孔が上下に貫通形成されている。金物通気孔は、煉瓦通気孔に連通するように対となって配置される。このため、チェッカー煉瓦と外部との吸排気は、金物通気孔を通じて可能とされている。
【先行技術文献】
【特許文献】
【０００５】
【特許文献１】特開２００６−２２３８１号公報
【考案の概要】
【考案が解決しようとする課題】
【０００６】
蓄熱室における蓄熱効率の向上を図るべく、面積当たりの煉瓦通気孔の数を増やし、煉瓦通気孔同士の間隔を狭めた場合、煉瓦通気孔の数やこれらの間隔に対し、金物通気孔の数やこれらの間隔を対応させる必要がある。この際、金物通気孔を煉瓦通気孔と同径に形成すると、チェッカー煉瓦受け金物に対し互いに近接する小径の金物通気孔を多数形成することとなり、鋳造製作難易度が高くなってしまう。また、金物通気孔同士の間隔が狭まるほど鋳造製作難易度もさらに高くなってしまう。このため、製作コスト削減を図り難い。
【０００７】
ここで、金物通気孔の径を大きくすれば、孔加工が容易となって鋳造製作難易度を低くできる。しかし、数を減らさずに金物通気孔の径を大きくすれば、金物本体の構成材料が過度に減少し、チェッカー煉瓦に対するチェッカー煉瓦受け金物の曲げ強度が低下し、高温下でチェッカー煉瓦を支持するための十分な強度を維持できなくなる可能性がある。強度確保のためには、チェッカー煉瓦受け金物の金物厚みを増やす必要がある。しかし、金物厚みを増やすことで製作コストの削減を図り難くなってしまう。また、材質そのものを高位のものに変更した場合も、製作コストが上がってしまう。
【０００８】
本考案は、十分な通気性能および強度を有するとともに、製作コストを削減できるチェッカー煉瓦受け金物および熱風炉を提供することにある。
【課題を解決するための手段】
【０００９】
本考案のチェッカー煉瓦受け金物は、燃焼室および蓄熱室を備えた熱風炉の前記蓄熱室に設けられたチェッカー煉瓦を支持するためのチェッカー煉瓦受け金物であって、水平に延びる金物本体と、前記金物本体を支持する支持体とを備え、前記金物本体には、複数の金物通気孔が貫通形成され、前記複数の金物通気孔の一方の開口は、前記チェッカー煉瓦に形成された複数の煉瓦通気孔のうちの少なくとも二つに対向可能な大きさとされ、前記複数の金物通気孔の他方の開口は、前記一方の開口の開口面積よりも小さい開口面積を有することを特徴とする。
【００１０】
本考案のチェッカー煉瓦受け金物によれば、少なくとも二つの煉瓦通気孔を包含し得る大きさの一方の開口が当該少なくとも二つの煉瓦通気孔に対向配置される。このため、少なくとも二つの煉瓦通気孔への吸排気を、一つの金物通気孔を通じて行わせることができる。また、煉瓦通気孔に対し、一方の開口を拡げることができるとともに、金物通気孔の数を減らすことができる。このため、鋳造製作難易度を低くでき、製作コストの削減を図ることができる。
また、他方の開口の開口面積を一方の開口の開口面積よりも小さくすることで、金物本体を構成する構成材料が過度に減少されることを抑制でき、チェッカー煉瓦受け金物の金物厚みを増やす必要をなくし、製作コストの削減を図ることができる。さらに、チェッカー煉瓦の荷重による曲げ応力が最大となる他方の開口側の強度を確保できる。
【００１１】
本考案のチェッカー煉瓦受け金物では、前記複数の金物通気孔の隣り合う一方の開口は、一定の間隔を隔てて配置されることが好ましい。
このような構成によれば、隣り合う一方の開口が一定の間隔を隔てて配置されることで、開口同士の間隔が部分的に狭まることがない。このため、チェッカー煉瓦受け金物のチェッカー煉瓦側の強度を均一にできるとともに高寿命化を図れ、チェッカー煉瓦の支持の安定性を向上できる。
【００１２】
本考案のチェッカー煉瓦受け金物では、前記一方の開口は、三角形状、四角形状または六角形状に形成されることが好ましい。
このような構成によれば、一方の開口の各角部を、煉瓦通気孔に対向配置することで、前記各角部間の部分の面積が過度に大きくなることがなく、複数の煉瓦通気孔を合流できる。
ここで、一方の開口で合流される煉瓦通気孔の数は、二つ、三つ、四つまたは五つ以上であってもよい。
【００１３】
本考案のチェッカー煉瓦受け金物では、前記複数の金物通気孔の一方の開口は三角形状に形成され、互いに隣り合う一方の開口は交互逆向きに配列されることが好ましい。
このような構成によれば、例えば、互いに隣り合う一方の開口同士の間隔を一定にでき、この間隔が部分的に狭まることがない。従って、チェッカー煉瓦受け金物の強度を均一にできる。
【００１４】
本考案のチェッカー煉瓦受け金物では、前記複数の金物通気孔の一方の開口は、凹状部および凸状部をそれぞれ有し、前記一方の開口の凸状部は、当該一方の開口に隣り合う他の一方の開口の凹状部に対し、向かい合って配置されることが好ましい。
このような構成によれば、一方の開口の凸状部同士や凹状部同士が向かい合って配置されることがなく、一方の開口同士の間隔を一定にできる。
また、凹状部を設けることで、煉瓦通気孔と対向する部分以外の面積が小さくなり、金物本体の構成材料を増やすことができる。従って、チェッカー煉瓦受け金物の強度を高めることができる。
【００１５】
本考案のチェッカー煉瓦受け金物では、前記複数の金物通気孔は、その一方の開口側から他方の開口側に向かって縮小する形状を有して構成されることが好ましい。
このような構成によれば、大きな開口面積を有する一方の開口と小さな開口面積を有する他方の開口とを連続して形成できる。
【００１６】
本考案の熱風炉は、燃焼室と、前記燃焼室からの熱風を蓄熱する蓄熱室とを備え、前記蓄熱室には、複数の煉瓦通気孔が形成されたチェッカー煉瓦と、前記チェッカー煉瓦を支持する前述した本考案のチェッカー煉瓦受け金物とが設けられることを特徴とする。
このような本考案によれば、前述した本考案のチェッカー煉瓦受け金物と同様の作用効果を発揮できる。
【考案の効果】
【００１７】
本考案によれば、十分な通気性能および強度を有するとともに、製作コストを削減できるチェッカー煉瓦受け金物および熱風炉を提供できる。
【図面の簡単な説明】
【００１８】
【図１】本考案の第１実施形態に係る熱風炉を示す模式図。
【図２】前記第１実施形態に係る熱風炉のチェッカー煉瓦およびチェッカー煉瓦受け金物の一部を示す断面図。
【図３】前記第１実施形態において、チェッカー煉瓦受け金物の一方の面を図２中ＩＩＩ−ＩＩＩ線で示す模式図。
【図４】前記第１実施形態において、チェッカー煉瓦受け金物の一方の面を拡大して示す模式図。
【図５】前記第１実施形態において、チェッカー煉瓦受け金物の他方の面を図２中Ｖ−Ｖ線で示す模式図。
【図６】本考案の第２実施形態に係る熱風炉のチェッカー煉瓦受け金物の通気孔の一方の開口を示す模式図。
【図７】本実施形態の変形例に係る熱風炉のチェッカー煉瓦受け金物の通気孔の一方の開口を示す模式図。
【図８】本実施形態の変形例に係る熱風炉のチェッカー煉瓦受け金物の通気孔の一方の開口を示す模式図。
【考案を実施するための形態】
【００１９】
以下、本考案の実施形態を図面に基づいて説明する。
［第１実施形態の構成］
本考案の第１実施形態に係る熱風炉１は、高炉１基につき複数設置されるものの一つ分である。図１に示すように、熱風炉１は、燃焼室と蓄熱室とが別体とされた外燃式であり、燃焼室炉体２と、蓄熱室炉体３との二つの炉体を有する。
【００２０】
燃焼室炉体２の内部の炉底部分には、加熱用のバーナー２１が形成されている。バーナー２１は、燃料ガス導入部２２に導入される燃料ガスと、空気導入部２３に導入される空気とを混合させて燃焼させ、炉頂へ向けて流れる高温の燃焼ガスを生成する。
燃焼室炉体２の側面には、高炉へ至る熱風供給部２４が設置されている。燃焼室炉体２は、連結管２５により炉頂部分を蓄熱室炉体３の炉頂部分と連結されている。
【００２１】
蓄熱室炉体３の内部には、蓄熱媒体としてのチェッカー煉瓦３１がチェッカー煉瓦受け金物３２に支持され、かつ蓄熱室炉体３の炉底部分から炉頂近くまで隙間無く積まれている。蓄熱室炉体３の炉底部分には、外部に開放された吸気口３５および図示しない排気口が形成されている。排気口は、吸気口３５に対し蓄熱室炉体３の周方向に並設されている。
【００２２】
チェッカー煉瓦３１は、図２に示すように各々に多数（例えば３７個程度）の煉瓦通気孔３１１が上下に貫通形成され、図３に一点鎖線で示すように、平面視六角形状に形成されている。チェッカー煉瓦３１の縦方向の厚さ寸法は１００ｍｍ〜１５０ｍｍ程度である。煉瓦通気孔３１１は、孔径が２０ｍｍ〜４５ｍｍ程度であり、格子状に多数配列されている。
チェッカー煉瓦３１は、水平方向に格子状に複数配列され、各々の煉瓦通気孔３１１が互いに連通するように２０〜３０ｍの高さまで積まれている。従って、積み上げられた多数のチェッカー煉瓦３１においては、蓄熱室炉体３の炉底部分から炉頂部分まで通気可能である。
【００２３】
チェッカー煉瓦受け金物３２は、図１に示すように、蓄熱室炉体３の内部の炉底部分に設けられている。チェッカー煉瓦受け金物３２は、水平に延びる金物本体３３と、前記金物本体を支持する支持体としての複数の支柱３４とを備えている。
【００２４】
金物本体３３は、平板状の鋳鉄製または鋳鋼製であり、蓄熱室炉体３の内部の炉底部分に板状に拡がって設けられている。金物本体３３の縦方向の厚さ寸法は３００〜６００ｍｍ程度である。金物本体３３の上面３３１（一方の面）は、チェッカー煉瓦３１の下面に当接支持している。金物本体３３の下面３３２（他方の面）は、支柱３４に支持されている。
【００２５】
金物本体３３には、図２に示すように複数の金物通気孔３３３が上下に貫通形成されている。金物通気孔３３３の孔数は、煉瓦通気孔３１１の孔数の１／３程度である。金物通気孔３３３は、チェッカー煉瓦３１側の上面３３１から反チェッカー煉瓦３１側の下面３３２まで縦方向に延びて形成されている。金物通気孔３３３は、上面３３１に形成された開口３３４と、下面３３２に形成された開口３３５と、開口３３４，３３５間で縮小する形状を有して構成された窄まり部３３６とを備えている。
【００２６】
図３，４に示すように、開口３３４は、略三角形状であり、その三つの角部は、金物通気孔３３３の中心Ｏから水平方向外側に向かって凸状に形成された円弧状の凸状部３３４Ａとされている。凸状部３３４Ａの曲率は、チェッカー煉瓦３１の煉瓦通気孔３１１の曲率に対応して等しく形成されている。
三つの凸状部３３４Ａ間に位置する三つの辺部は、金物通気孔３３３の中心Ｏから水平方向外側に向かって凹状に形成された円弧状の凹状部３３４Ｂとされている。凹状部３３４Ｂの曲率は、凸状部３３４Ａの曲率よりも小さく緩やかに設定されている。
このように湾曲形成された開口３３４は、互いに隣り合う三つの煉瓦通気孔３１１に対向配置される程度の開口面積を有している。三つの凸状部３３４Ａは、互いに隣り合う三つの煉瓦通気孔３１１にそれぞれ対向配置されている。
【００２７】
複数の開口３３４は、上面３３１に格子状に配列されている。複数の開口３３４の配列は、図３に示すように、上面３３１に沿う水平方向であって任意の一方向としてのＡ方向において開口３３４が正向きに配列された配列Ａ１と、Ａ方向において開口３３４が１８０度逆向きに配列された配列Ａ２とに分けられる。配列Ａ１を構成する開口３３４は互いに同じ正向きに配置されている。配列Ａ２を構成する開口３３４は互いに同じ逆向きに配置されている。配列Ａ１，Ａ２は、上面３３１に沿う水平方向であってＡ方向に直交するＢ方向において交互に配置されている。従って、Ｂ方向における複数の開口３３４の配列は、開口３３４が交互逆向きに配列された配列Ｂ１となる。
【００２８】
配列Ａ１において、開口３３４の一つの凸状部３３４Ａ（角部）は、当該開口３３４に隣り合う他の開口３３４の凹状部３３４Ｂ（辺部）に対し、間隔Ｌ１を隔てて向かい合って配置されている。この凸状部３３４Ａの曲率中心Ｃは、Ａ方向において当該凸状部３３４Ａに向かい合う凹状部３３４Ｂの曲率中心Ｃと等しい位置にある。このため、当該凸状部３３４Ａおよび凹状部３３４Ｂ間の間隔Ｌ１は均一化されて一定の間隔となっている。また、凸状部３３４Ａの半径ＲＳは、Ａ方向において当該凸状部３３４Ａに向かい合う凹状部３３４Ｂの半径ＲＬよりも短い。
なお、配列Ａ２において、二つの開口３３４の互いに向かい合う凸状部３３４Ａおよび凹状部３３４Ｂの間隔Ｌ１および曲率中心Ｃの位置の関係は、前述した配列Ａ１における凸状部３３４Ａおよび凹状部３３４Ｂの関係と同様である。
【００２９】
配列Ｂ１において、二つの開口３３４の凸状部３３４Ａおよび凹状部３３４Ｂは、間隔Ｌ１を隔てて互いに向かい合って配置されている。そして、これらの凸状部３３４Ａおよび凹状部３３４Ｂの曲率中心Ｃは互いに等しい位置にある。このため、当該凸状部３３４Ａおよび凹状部３３４Ｂ間の間隔Ｌ１は均一化された一定の間隔となっている。また、凸状部３３４Ａの半径ＲＳは、Ｂ方向において当該凸状部３３４Ａに向かい合う凹状部３３４Ｂの半径ＲＬよりも短い。
前述した各凸状部３３４Ａの半径ＲＳは互いに等しい長さであり、前述した各凹状部３３４Ｂの各半径ＲＬは互いに等しい長さである。
このように、互いに隣り合う開口３３４は、１３．５ｍｍ〜２５ｍｍ程度の一定の間隔Ｌ１（孔ピッチ）を隔てて配置されている。また、煉瓦通気孔３１１に対向配置される各凸状部３３４Ａの曲率中心Ｃは、煉瓦通気孔３１１の中心と略一致している。
【００３０】
図５に示すように、開口３３５は、金物通気孔３３３の中心Ｏを曲率中心として円形状に形成されている。開口３３５は、開口３３４の開口面積よりも小さい開口面積を有している。複数の開口３３５の配列は、開口３３４の前述した配列と概略同様であるため、その説明を省略する。ただし、開口３３５は円形状であるため、正向きであっても逆向きであっても、下面３３２に現われる形状に変化は生じない。
開口３３５の周縁は、図４に示すように、開口３３４の凹状部３３４Ｂのうちの中心Ｏに最も近接する部分に対し、重なり合っている。
このように構成された複数の開口３３５同士の間隔は、前述した開口３３４同士の間隔Ｌ１よりも大きい。このため、金物本体３３の構成材料の量は、チェッカー煉瓦３１からの曲げ応力が最大となる下面３３２側で増加されている。
【００３１】
図２に示すように、窄まり部３３６は、金物本体３３の厚さ寸法の１／２よりも上側に設けられている。
窄まり部３３６の上部３３６Ａには、開口３３４から下方に延びた上側通気空間３３７につながっている。上部３３６Ａの周縁は、開口３３４の周縁と同形状である。上側通気空間３３７の外形は、開口３３４の外形と同形状である。
窄まり部３３６の下部３３６Ｂには、開口３３５から上方に延びた下側通気空間３３８につながっている。上部３３６Ａの周縁は、開口３３５の周縁と同形状である。下側通気空間３３８の外形は、開口３３５の外形と同形状である。
【００３２】
上部３３６Ａの開口面積は、下部３３６Ｂの開口面積よりも大きくされている。窄まり部３３６の全体形状は、上部３３６Ａから下部３３６Ｂに向かってテーパー状に窄まって形成されている。
上部３３６Ａ側では、開口３３４に対応した略三角形状に形成されているが、下部３３６Ｂに向かうに従って次第に円形状に変形され、開口３３５に対応した形状とされる。
【００３３】
支柱３４は、蓄熱室炉体３の炉底に複数立設され、金物本体３３の下面３３２を直接またはガーダーを介して支持している。複数の支柱３４間の隙間は、金物通気孔３３３を通じて煉瓦通気孔３１１と吸気口３５および排気口とが行き交う空気の通過経路として構成されている。
【００３４】
［第１実施形態の動作］
以下、本実施形態の熱風炉１の動作について説明する。
熱風炉１では、次のように蓄熱および送風を行う。
蓄熱動作の際には、バーナー２１で燃料ガスを燃焼させ、燃焼室炉体２を上昇する燃焼ガスを発生させ、この燃焼ガスを連結管２５から蓄熱室炉体３の内部へと導入する。そして、導入された燃焼ガスを、チェッカー煉瓦３１に通して下向きに通過させ、その間に燃焼ガスの熱をチェッカー煉瓦３１に蓄熱する。チェッカー煉瓦３１を通過した燃焼ガスは、チェッカー煉瓦受け金物３２を通じ、排気口から排出される。
【００３５】
送風動作の際には、外気を吸気口３５から蓄熱室炉体３の内部へと吸入し、吸入した外気を、チェッカー煉瓦受け金物３２を通じ、チェッカー煉瓦３１に通して上向きに通過させ、その間にチェッカー煉瓦３１に蓄熱された熱で外気を加熱して熱風を生成し、この熱風を、連結管２５から燃焼室炉体２の内部へと導入し、熱風供給部２４から高炉へと供給する。
【００３６】
［第１実施形態の効果］
（１）三つの煉瓦通気孔３１１を包含し得る大きさの開口３３４が当該三つの煉瓦通気孔３１１に対向配置されるため、三つの煉瓦通気孔３１１への吸排気を、一つの金物通気孔３３３を通じて行わせることができる。また、開口３３４を大きく拡げることができるとともに、金物通気孔３３３の孔数を煉瓦通気孔３１１の孔数に対して１／３程度に減らすことができる。このため、鋳造製作難易度を低くでき、製作コストの削減を図ることができる。
また、開口３３５の開口面積を開口３３４の開口面積よりも小さくすることで、金物本体３３を構成する構成材料が、特に下面３３２側で過度に減少されることを抑制でき、チェッカー煉瓦受け金物３２の金物厚みを増やす必要をなくし、製作コストの削減を図ることができる。さらに、チェッカー煉瓦３１の荷重による曲げ応力が最大となる開口３３５側の強度を高温下でも確保できる。
（２）隣り合う開口３３４が一定の間隔Ｌ１を隔てて配置されることで、開口３３４同士の間隔Ｌ１が部分的に狭まることがない。このため、チェッカー煉瓦受け金物３２のチェッカー煉瓦３１側の強度を均一にできるとともに高寿命化を図れ、チェッカー煉瓦３１の支持の安定性を向上できる。
（３）Ｂ方向において互いに隣り合う略三角形状の開口３３４を、交互逆向きに配列したことで、開口３３４同士の間隔Ｌ１を一定にでき、この間隔Ｌ１が部分的に狭まることがない。従って、チェッカー煉瓦受け金物３２の強度を均一にできる。
【００３７】
（４）互いに隣り合う開口３３４の凸状部３３４Ａ（角部）および凹状部３３４Ｂ（辺部）が向かい合って配置されているため、凸状部３３４Ａ同士や凹状部３３４Ｂが向かい合って配置されることがない。このため、開口３３４同士の間隔Ｌ１を一定にできる。
また、凹状部３３４Ｂを設けることで、煉瓦通気孔３１１と対向する部分以外の面積が小さくなり、金物本体３３の構成材料を増やすことができる。このため、チェッカー煉瓦受け金物３２の強度を高めることができる。
（５）開口３３４を三角形状に形成したことで、この開口３３４の各角部（凸状部３３４Ａ）を、煉瓦通気孔３１１に対向配置することで、各角部間の面積が過度に大きくなることがなく、三つの煉瓦通気孔３１１を合流できる。
（６）窄まり部３３６が開口３３４側から開口３３５側に向かって縮小する形状を有して構成されているため、大きな開口面積の開口３３４と、小さな開口面積の開口３３５とを連続して形成できる。
【００３８】
［第２実施形態の構成］
図６には、本考案の第２実施形態が示されている。
本実施形態に係る熱風炉は、前述した第１実施形態に係る熱風炉１と同様な構成を含んでいる。このため、同様な構成については同じ符号で示し、重複する説明はこれを省略する。
前述した第１実施形態に係る熱風炉１では、金物通気孔３３３の開口３３４は、略三角形状であり、その三つの角部は円弧状の凸状部３３４Ａとされ、その三つの辺部は円弧状の凹状部３３４Ｂとされていた。
これに対し、本実施形態の熱風炉では、金物通気孔３３３の開口３３４は、略三角形状であり、その三つの角部は凸状部３３４Ａとされ、三つの凸状部３３４Ａを結ぶ三辺は直線状に形成されている。
【００３９】
本実施形態における開口３３４は、互いに隣り合う三つの煉瓦通気孔３１１に対向配置される程度の開口面積を有している。なお、複数の金物通気孔３３３の開口３３４の配列は、前述した第１実施形態の熱風炉１の開口３３４の配列と同様である。
本実施形態においては、互いに隣り合う金物通気孔３３３の開口３３４の直線部分と凸状部３３４Ａとが隣り合う間隔Ｌ２（孔ピッチ）は、凸状部３３４Ａの曲率半径に応じて変化するので一定の間隔とはならないが、互いに隣り合う金物通気孔３３３の開口３３４の直線部分同士が隣り合う間隔Ｌ３（孔ピッチ）は、一定の間隔となる。ここで、間隔Ｌ２のうちのもっとも狭い部分の間隔は、金物本体３３に必要とされる強度を確保可能な程度の広さを有した間隔となるように設定される。
【００４０】
［第２実施形態の効果］
（１）前述した第１実施形態の効果（１）（５）（６）と同様の効果を発揮できる。
（２）隣り合う開口３３４の直線部分同士が一定の間隔Ｌ３を隔てて配置されることで、当該直線部分同士の間隔Ｌ３が部分的に狭まることがない。このため、チェッカー煉瓦受け金物３２のチェッカー煉瓦３１側の強度を均一に近づけることができるとともに高寿命化を図れ、チェッカー煉瓦３１の支持の安定性を向上できる。
【００４１】
［変形例］
なお、本考案は以上の実施形態で説明した構成のものに限定されず、本考案の目的を達成できる範囲での変形例は、本考案に含まれる。
例えば、前記実施形態では、開口３３４は、三つの煉瓦通気孔３１１に対向配置される程度の開口面積を有して形成されているが、これに限定されず、少なくとも二つの煉瓦通気孔３１１に対向配置される程度の開口面積を有して形成されていてもよい。また、開口３３４は、四つ、五つ、六つ以上の煉瓦通気孔３１１に対向配置される程度の開口面積を有して形成されていてもよい。
【００４２】
例えば図７に示すように、開口３３４は、略四角形状に形成され、四つの煉瓦通気孔３１１に対向配置される程度の開口面積を有して形成されていてもよい。このような開口３３４を採用した場合、金物通気孔３３３の孔数は、煉瓦通気孔３１１の孔数の１／４程度に減らすことができる。
図７に示す開口３３４は、四つの角部に凸状部３３４Ａを有し、当該凸状部３３４Ａ間に凹状部３３４Ｂ（辺部）が設けられている。凸状部３３４Ａと凹状部３３４Ｂとの間隔Ｌ１や曲率中心Ｃの位置の関係は前述同様である。
図７の上下で対向する二つの凸状部３３４Ａは、左右で対向する他の二つの凸状部３３４Ａよりも中心Ｏから水平方向外側に離れて位置している。このため、複数の開口３３４が配列されるＡ方向とＢ方向とは互いに直交せず、鋭角θをもって交差している。
なお、略四角形状の開口３３４は、１８０度逆向きとされても同形状である。従って、Ｂ方向の配列Ｂ１が交互逆向きであるとしても、結果として、同じ向きに配列した場合と同様となる。
【００４３】
例えば図８に示すように、開口３３４は、略六角形状に形成され、六つの煉瓦通気孔３１１に対向配置される程度の開口面積を有して形成されていてもよい。このような開口３３４を採用した場合、金物通気孔３３３の孔数は、煉瓦通気孔３１１の孔数の１／６程度に減らすことができる。
図８に示す開口３３４は、六つの角部に凸状部３３４Ａを有し、当該凸状部３３４Ａ間に凹状部３３４Ｂ（辺部）が設けられている。凸状部３３４Ａと凹状部３３４Ｂとの間隔Ｌ１や曲率中心Ｃの位置の関係は前述同様である。この開口３３４は、その中央部分も煉瓦通気孔３１１に対向配置される。
図８に示す開口３３４が配列されるＡ方向とＢ方向とは互いに直交せず、鈍角θをもって交差している。
なお、略六角形状の開口３３４は、１８０度逆向きとされても同形状である。従って、Ｂ方向の配列Ｂ１が交互逆向きであるとしても、結果として、同じ向きに配列した場合と同様となる。
【００４４】
前記実施形態では、開口３３４の角部が円弧状の凸状部３３４Ａとして形成され、辺部が円弧状の凹状部３３４Ｂとして形成されているが、例えば、このような凸状部３３４Ａ、凹状部３３４Ｂが形成されず、各辺が直線状に延びて角部で交わり、この角部が前述した凸状部３３４Ａよりも小さな円弧状であるかまたは実質的に曲率のない角とされる三角形状に形成されていてもよい。この場合でも互いに隣り合う開口３３４同士の間隔Ｌ１は一定とされる。
なお、開口３３４が図７，８に示すように略四角形状や略六角形状に形成される場合も同様に、各辺が直線状に延びて角部で交わって形成されていてもよいが、例えば、各角部が凸状部３３４Ａと同様に円弧状に形成されていてもよい。
【００４５】
前記実施形態では、凸状部３３４Ａの曲率は、チェッカー煉瓦３１の煉瓦通気孔３１１の曲率に対応して等しく形成されているが、これに限定されず、例えば、凸状部３３４Ａの曲率は、煉瓦通気孔３１１の曲率よりも小さく緩やかに設定されていてもよい。
【００４６】
前記実施形態では、窄まり部３３６は、金物本体３３の厚さ寸法の１／２よりも上側に設けられているが、さらに、金物本体３３の厚さ寸法の１／３よりも上側に設けられていてもよい。また、窄まり部３３６は、上側通気空間３３７につながって構成されているが、これに限定されず、例えば、開口３３４から直ぐに窄まる形状となるように設けられていてもよい。このように窄まり部３３６が上側に設けられていると、断面積が大きい上側通気空間３３７が短く構成される一方、断面積が小さい下側通気空間３３８が長く構成される。この結果、金物本体３３の構成材料の量を増やすことができ、強度を高めることができる。
逆に、窄まり部３３６が金物本体３３の厚さ寸法の１／２よりも下側に設けられていてもよい。この場合でも、開口３３５側に下側通気空間３３８が形成されるため、チェッカー煉瓦３１からの荷重による曲げ応力が最大となる開口３３５側の強度を確保できる。
【００４７】
前記実施形態では、熱風炉１は、燃焼室と蓄熱室とが別の炉体に設けられた外燃式として構成されているが、これに限定されず、例えば、燃焼室と蓄熱室とが同じ炉体に一括して設けられた内燃式および頂部燃焼式として構成されていてもよい。
【００４８】
煉瓦通気孔３１１の孔径は、２０ｍｍ程度としたが、これに限定されず、例えば、２０〜４５ｍｍ程度で適宜設定されていてもよい。この場合、凸状部３３４Ａは、当該煉瓦通気孔３１１の孔径に対応し、当該孔径以上の径に設定される。
【符号の説明】
【００４９】
１…熱風炉、２…燃焼室炉体、２１…バーナー、２２…燃料ガス導入部、２３…空気導入部、２４…熱風供給部、２５…連結管、３…蓄熱室炉体、３１…チェッカー煉瓦、３１１…煉瓦通気孔、３２…チェッカー煉瓦受け金物、３３…金物本体、３３１…上面、３３２…下面、３３３…金物通気孔、３３４，３３５…開口、３３４Ａ…凸状部、３３４Ｂ…凹状部、３３６…窄まり部、３３６Ａ…上部、３３６Ｂ…下部、３３７…上側通気空間、３３８…下側通気空間、３４…支持体である支柱、３５…吸気口、Ａ１，Ａ２，Ｂ１…配列、Ｌ１，Ｌ２，Ｌ３…間隔。
【図１】
0003195118.tif 000003
【図２】
0003195118.tif 000004
【図３】
0003195118.tif 000005
【図４】
0003195118.tif 000006
【図５】
0003195118.tif 000007
【図６】
0003195118.tif 000008
【図７】
0003195118.tif 000009
【図８】
0003195118.tif 000010